(57)【要約】【課題】加熱制御基板への水の付着を防止し、炊飯器本体の外郭を形成する部材の溶解、発火、炊飯器本体内部の拡大延焼を防止することで安全性を確保しつつ、経年使用により、炊飯器本体と蓋との隙間が拡大し外観を損なったり、蓋が開きにくくなることを防止する炊飯器を提供する。【解決手段】有底筒状の内鍋収納部を有する炊飯器本体と、前記炊飯器本体に着脱自在に収納される内鍋と、前記炊飯器の上面開口部を開閉自在に覆う蓋体と、前記内鍋を加熱するための加熱手段と、前記炊飯器本体の上面を構成し、後方に前記蓋体を軸支するヒンジ部を有する上枠と、前記上枠のヒンジ部下方に配し、前記加熱手段を制御する制御装置を備えた加熱制御基板とを備え、前記上枠のヒンジ部下面に支持されかつ前記加熱制御基板の上面全体を覆う金属製のヒンジ補強板を有する炊飯器とする。【選択図】図１
2010214036.tif 000002
【特許請求の範囲】
【請求項１】
有底筒状の内鍋収納部を有する炊飯器本体と、前記炊飯器本体に着脱自在に収納される内鍋と、前記炊飯器の上面開口部を開閉自在に覆う蓋体と、前記内鍋を加熱する加熱手段と、前記炊飯器本体の上面を構成し後方に前記蓋体を軸支するヒンジ部を有する上枠と、前記上枠のヒンジ部下方に配し前記加熱手段を制御する制御装置を備えた加熱制御基板とを備え、前記上枠のヒンジ部下面に支持されかつ前記加熱制御基板の上面全体を覆う金属製のヒンジ補強板を有する炊飯器。
【請求項２】
加熱制御基板は基板ベースに保持され、前記基板ベースは難燃性樹脂又は不燃性樹脂からなり、前記加熱制御基板のパターン面を覆う構成とした請求項１記載の炊飯器。
【請求項３】
有底筒状の内鍋収納部を構成し加熱手段を保持する保護枠を有し、基板ベースは前記保護枠に固定してなる請求項２記載の炊飯器。
【発明の詳細な説明】
【技術分野】
【０００１】
本発明は、一般家庭、あるいは業務用に使用する炊飯器に関するものである。
【背景技術】
【０００２】
従来、この種の機器の構成は以下のようなものであった。特許文献１によれば、本体と、前記本体の上部を覆う蓋と、前記本体の外郭を形成するボディと、このボディに嵌着する上枠と、前記上枠に懸架状態に載置されかつ着脱自在に収納される内鍋と、前記内鍋を誘導加熱する底加熱コイルと、前記底加熱コイルを支持する難燃性樹脂製の保護枠と、前記底加熱コイルに高周波電力を供給する制御部と、蓋に配設された操作部とを備え、前記制御部は前記本体のヒンジ側に立てて配置し、前記保護枠は前記上枠の外形に合わせて決定し、前記上枠のヒンジ部をネジで固定させた炊飯器である。
【特許文献１】特開平１１−５６６０６号公報
【発明の開示】
【発明が解決しようとする課題】
【０００３】
しかしながら、前述の炊飯器では、加熱基板上を難燃性樹脂製の保護枠で覆う構成をとることにより、長年の使用により上枠にクラック等が入った場合、本体上面に溜まった水が加熱制御基板に付着するのを防止し、また加熱制御基板上の部品からの万一の発火による炊飯器本体の外郭を形成する部材の溶解、発火、内部の拡大延焼を防止することを実現できるが、ヒンジバネの力により経年使用で上枠が変形することで、炊飯器本体と蓋との隙間が拡大し外観を損なったり、蓋の開き角度や開き速度が悪化し蓋が開きにくくなるという課題を有していた。又、製品外形を変更する都度、保護枠を新設する必要があり投資コストが発生するという課題も有していた。
【０００４】
本発明は前記従来の課題を解決するもので、ヒンジバネの力により経年使用で上枠が変形することで、炊飯器本体と蓋との隙間が拡大し外観を損なったり、蓋の開き角度や開き速度が悪化し蓋が開きにくくなるという課題を解決することを目的とする。また、基板ベースを保護枠に固定し、金属性のヒンジ補強板を加熱制御基板の上面全体に配置する構成とすることにより、製品外形を変形する都度、保護枠を新設する必要がなく、投資コストを抑えることを実現した炊飯器を提供することを目的とする。
【課題を解決するための手段】
【０００５】
前記従来の課題を解決する為に、本発明の炊飯器は、有底筒状の内鍋収納部を有する炊飯器本体と、炊飯器本体に着脱自在に収納される内鍋と、炊飯器の上面開口部を開閉自在に覆う蓋体と、内鍋を加熱する加熱手段と、炊飯器本体の上面を構成し後方に蓋体を軸支するヒンジ部を有する上枠と、上枠のヒンジ部下方に配し加熱手段を制御する制御装置を備えた加熱制御基板とを備え、上枠のヒンジ部下面に支持されかつ加熱制御基板の上面全体を覆う金属製のヒンジ補強板を有する構成としたものである。
【０００６】
これにより、長年の使用により上枠にクラック等が入っても、本体上面に溜まった水が加熱制御基板に付着するのを防止し、また加熱制御基板上の部品からの万一の発火による炊飯器本体の外郭を形成する部材の溶解、発火、内部の拡大延焼を防止し、安全性を確保しつつ、ヒンジバネの力により経年使用で上枠が変形することで、炊飯器本体と蓋との隙間が拡大し外観を損なったり、蓋の開き角度や開き速度が悪化し蓋が開きにくくなるという課題を解決することができる。また、基板ベースを保護枠に固定し、金属性のヒンジ補強板を加熱制御基板の上面全体に配置する構成とすることにより、製品外形を変形する都度、保護枠を新設する必要がなく、投資コストを抑えることを実現した炊飯器を提供する
ことができる。
【発明の効果】
【０００７】
本発明の炊飯器は、ヒンジバネの力により経年使用で上枠が変形することで、炊飯器本体と蓋との隙間が拡大し外観を損なったり、蓋の開き角度や開き速度が悪化し蓋が開きにくくなることを防ぐことができる。
【発明を実施するための最良の形態】
【０００８】
第１の発明は、有底筒状の内鍋収納部を有する炊飯器本体と、前記炊飯器本体に着脱自在に収納される内鍋と、前記炊飯器の上面開口部を開閉自在に覆う蓋体と、前記内鍋を加熱する加熱手段と、前記炊飯器本体の上面を構成し後方に前記蓋体を軸支するヒンジ部を有する上枠と、前記上枠のヒンジ部下方に配し前記加熱手段を制御する制御装置を備えた加熱制御基板とを備え、前記上枠のヒンジ部下面に支持されかつ前記加熱制御基板の上面全体を覆う金属製のヒンジ補強板を有する炊飯器である。
【０００９】
これにより、長年の使用により上枠にクラック等が入っても、本体上面に溜まった水が加熱制御基板に付着するのを防止し、また加熱制御基板上の部品からの万一の発火による炊飯器本体の外郭を形成する部材の溶解、発火、内部の拡大延焼を防止し、安全性を確保しつつ、ヒンジバネの力により経年使用で上枠が変形することで、炊飯器本体と蓋との隙間が拡大し外観を損なったり、蓋の開き角度や開き速度が悪化し蓋が開きにくくなることを防ぐことができる。
【００１０】
第２の発明は、特に第１の発明において、加熱制御基板は基板ベースに保持され、前記基板ベースは難燃性樹脂又は不燃性樹脂からなり、前記加熱制御基板のパターン面を覆う構成とした炊飯器である。これにより、加熱制御基板上の部品からの万一の発火による炊飯器本体の外郭を形成する部材の溶解、発火、内部の拡大延焼を防止し、安全性を確保することができる。
【００１１】
第３の発明は、特に第２の発明において、有底筒状の内鍋収納部を構成し加熱手段を保持する保護枠を有し、基板ベースは前記保護枠に固定する構成とした炊飯器である。これにより、製品外形を変形する都度、保護枠を新設する必要がなく、投資コストを抑えることを実現した炊飯器を提供することができる。
【００１２】
（実施の形態１）
本発明の実施の形態１における炊飯器について、図１を用いて説明する。
【００１３】
図１は、本発明の実施の形態１の炊飯器の側面断面図である。図面を簡潔にするために、リード線等は省略する。
【００１４】
図１において、炊飯器本体１は上面を構成する上枠３と側面および底面を構成するボディ４でその外郭が構成されており、上枠３は円筒状の穴部３ａ有し、穴部３ａより連なる筒状で保護枠胴５と皿状の保護枠６により有底筒状の内鍋収納部１ａを構成し、着脱自在に内鍋２を収納する。保護枠６の底部には底誘導コイル７を配置し、底誘導コイル７の外側には、内鍋２底部の底誘導加熱コイル７と側面部の底誘導コイル７の間を磁気結合する目的で磁性材料にて構成された底フェライト８を複数配置している。底誘導コイル７が内鍋加熱手段であり、誘導加熱方式は、各誘導コイルに通電した高周波電流から発生する高周波磁界が被加熱金属を通過する際に誘導加熱を引き起こし発熱することにより、内鍋２を誘導加熱し炊飯・保温を行う。底誘導コイル７の外周には反射枠２６が環状に設けており、底誘導コイル７からの高周波磁界が炊飯器本体１の外部に漏れ出すのを防止し、周囲の機器に影響を及ぼさないような工夫がなされている。
【００１５】
保護枠６の下方には、内鍋２と当接し、内鍋２の温度検知をする内鍋温度検知手段である底センサー９を配置している。内鍋２は上枠３に配設している上枠キャップ２９により支持され、底誘導加熱コイル７との距離を保っている。内鍋２の側面部には、内鍋側面部の加熱手段である側面誘導加熱コイル２１を配置している。
【００１６】
蓋体１５は炊飯器本体１上部を形成する開閉自在で、蓋体１５が閉じている状態では、フックレバー１８により炊飯器本体１に支持されている。蓋体１５の下部には、蓋加熱板２２を配置し、内部には蓋加熱手段である蓋誘導加熱コイル２３と蓋温度検知手段である蓋センサー２４を配設している。蓋加熱板２２には、内鍋フランジ部２ａと当接する内鍋パッキン２５を配設し、内鍋２内の調理物が加熱されることにより発生する蒸気等が漏れないようにシールをしている。なお、底誘導加熱コイル７、側面誘導加熱コイル２１、蓋誘導加熱コイル２３はヒーターであっても良い。蓋体１５には、炊飯器を操作するための入力装置を備えた操作制御基板２７が配設されている。
【００１７】
各加熱手段を制御する制御装置を備えた加熱制御基板１０は、加熱制御基板用基板ベース１１に支持され、上枠３の下方に垂直に保護枠６に固定している。前述の各基板はフェノール積層板、加熱制御基板用基板ベース１１は難燃性樹脂でできている。加熱制御基板１０に配設された加熱電力送出部１２はアルミやアルミダイキャスト等でできたヒートシンク１３を有し、ヒートシンク１３に外気を送風するファンモータ１４が取り付けてある。
【００１８】
加熱制御基板１０を支持した加熱制御基板用基板ベース１１は、上枠３のヒンジ部３ｂの下面に鉛直に配設され、加熱制御基板用基板ベース１１の上方両側面に配設されたリブ１１ａが上枠３の溝部３ｃに挿入され、加熱制御基板用基板ベース１１の下方に配設された固定用アーム１１ｂを保護枠６に固定している。上枠３のヒンジ部３ｂの下面には金属製のヒンジ補強板２０が加熱制御基板１０の上方全体を覆うように配設され、上枠３に固定されている。
【００１９】
上枠３の本体後方の上面にはヒンジ部３ｂが設けられており、蓋体１５がヒンジ部３ｂに取り付けたヒンジ軸１６にて軸支され、開閉自在に本体上面を覆っている。ヒンジ部３ｂにはヒンジバネ１７が蓋体１５と炊飯器本体１双方に係合するように取り付けてあり、蓋体１５に対し開放する方向の付勢力を有している。そして、ヒンジ部３ｂの後部はヒンジカバー２８がその外郭を覆い、外部よりヒンジ軸１６やヒンジバネ１７が見えないようにしている。
【００２０】
次に上記構成において動作を説明する。加熱制御基板１０は操作制御基板２７からの信号及び底センサー９、蓋センサー２４が検知した温度情報を基に、加熱電力送出部１２より通電される底誘導コイル７や蓋誘導コイル２３や側面誘導加熱コイル２１の通電量を出力として制御する。
【００２１】
誘導加熱方式は、各誘導コイルに通電した高周波電流から発生する高周波磁界が被加熱金属を通過する際に誘導加熱を引き起こし発熱する。ここで、加熱電力送出部１２は高周波電流を各誘導コイルへ供給する際、電気抵抗ロスおよび高周波発生時のスイッチングロスで自己発熱する。加熱電力送出部１２が自己発熱で加熱電力送出部１２が許容温度以上に高温となると、加熱電力送出部１２が破壊する場合があるので、加熱電力送出部１２はアルミやアルミダイキャスト等でできたヒートシンク１３を有し、ヒートシンク１３を通じで自己発熱による熱を放熱する。また、ファンモータ１４でヒートシンク１３は冷却され、効率的に加熱電力送出部１２は冷却される。
【００２２】
底誘導コイル７は加熱電力送出部１２より供給される電流で誘導加熱により内鍋２の底面を発熱させる。ここで、底フェライト８は磁性材料で構成されており、底誘導コイル７から発生する磁界を効率よく鍋側へ集める。これにより、内鍋２周辺に高密度の磁界が発生し、鍋はより高効率に高発熱する。また、反射枠３２が底誘導コイル７からの高周波磁界が炊飯器本体１の外部に漏れ出すのを防止し、周囲の機器に影響を及ぼさないような工夫がなされている。
【００２３】
フックレバー１８を押し、蓋を開け、炊飯を行う米とその米量に対応する水を内鍋２に入れ、内鍋収納部１ａの所定の状態に内挿する。ここで、ダンパー１９が蓋の開放動作により蓋が完全に開いたときに蓋の開放の勢いで本体がバウンドしないよう、蓋開き時のブレーキ力を発生する。これにより、蓋体１５はフックレバー１８を押すと自動で開放しつつも、蓋の勢いによる本体のバウンド等も発生しない。加えて、蓋開き時に本体の重心が後方に移動するが、その勢いで本体が後方へ倒れないよう、通常若干床面から浮いた本体後方脚部１ｂが床面に当接し、勢いによる本体後方への倒れも防止する。よって使用者は蓋のバウンド等の心配なく安心感をもって蓋を開けることができる。
【００２４】
上枠３のヒンジ部３ｂの下面に配設された金属製のヒンジ補強板２０は蓋開閉時にヒンジバネ１７によりヒンジ部３ｂにかかる力で上枠３が変形するのを防止する。これにより、経年使用での上枠３の変形による、炊飯器本体１と蓋体１５隙間の拡大化、蓋体１５の開き角度や開き速度の悪化の発生を防止することができる。又、金属製のヒンジ補強板２０を使用することにより、樹脂製の保護枠６による補強を行うよりもより補強の効果を得られる。ヒンジ補強板２０は加熱制御基板１０の上方を覆うように配設されており、上枠３の破損時に上枠３から侵入してくる水を加熱制御基板１０に配設されている部品へ滴下するのを防止することができる。又、加熱制御基板１０上の部品からの万が一の発火による炊飯器本体１の外郭を形成する部材の溶解、発火、内部の拡大延焼を防止することにより、安全性を確保することができる。難燃性樹脂製の加熱制御基板用基板ベース１１は、加熱制御基板１０のパターン面を覆っており、これにより、加熱制御基板１０上の部品からの万一の発火による炊飯器本体１の外郭を形成する部材の溶解、発火、内部の拡大延焼を防止し、安全性を確保することができる。
【００２５】
また、本実施の形態では、上枠３の下面にヒンジ補強板２０を配設することにより、上枠３の変形を防止することができ、またヒンジ補強板２０は加熱制御基板１０の上方を覆っていることより、水の浸入、万が一の発火時の拡大延焼を防止することができることにより、難燃製の保護枠６を上枠３の外形形状に合わせて決定し、ヒンジ部３ｂで固定する必要はないため、製品外形を変形する都度、保護枠６を新設する必要がなく、投資コストを抑えることができると共に、保護枠６の小型化により、炊飯器本体１のデザインや大きさの選択肢が広がり、コンパクト化を実現した炊飯器を提供することができる。
【産業上の利用可能性】
【００２６】
本発明は、ヒンジバネの力により経年使用で上枠が変形することで、炊飯器本体と蓋との隙間が拡大し外観を損なったり、蓋の開き角度や開き速度が悪化し蓋が開きにくくなることを防ぐことができるので、家庭用のみならず、業務用の炊飯器にも適用できる。
【図面の簡単な説明】
【００２７】
【図１】本発明の実施の形態１の炊飯器の断面図
【図２】本発明の実施の形態１の炊飯器の要部下面図
【符号の説明】
【００２８】
１  炊飯器本体
２  内鍋
６  保護枠
７  底誘導コイル（加熱手段）
１０  加熱制御基板
１１  加熱制御基板用基板ベース
１５  蓋体
２０  ヒンジ補強板
【図１】
2010214036.tif 000003
【図２】
2010214036.tif 000004